(57)【要約】【課題】贈答者が指定した商品群の中に被贈答者の所望の商品がない場合であっても被贈答者が所望の商品を指定する。【解決手段】ギフト管理サーバ３０において、予め設定された第１の商品群が掲載された第１の情報画面を端末１０−１〜１０−ｎに提供するとともに、端末１０−１〜１０−ｎに提供された第１の情報画面上における指示によって、第１の商品群に含まれない商品を含んでなる第２の商品群が掲載された第２の情報画面を端末１０−１〜１０−ｎに提供する。【選択図】  図１
2004265033.tif 000002
【特許請求の範囲】
【請求項１】
通信回線に接続可能な端末と、贈答される商品を指定するための情報画面を前記通信回線を介して前記端末に提供するギフト管理手段とを有し、前記ギフト管理手段から前記端末に提供された前記情報画面上にて指定された商品の贈答を受け付けるギフトシステムにおいて、
前記ギフト管理手段は、予め設定された第１の商品群が掲載された第１の情報画面を前記端末に提供するとともに、前記端末に提供された前記第１の情報画面上における指示によって、前記第１の商品群に含まれない商品を含んでなる第２の商品群が掲載された第２の情報画面を前記端末に提供することを特徴とするギフトシステム。
【請求項２】
請求項１に記載のギフトシステムにおいて、
前記ギフト管理手段は、前記端末に提供された前記第１の情報画面上にて前記第１の商品群に含まれる商品の価格に対して加算額が指定された場合、前記第１の商品群に含まれる商品の価格に前記加算額が加算された価格の商品からなる前記第２の商品群が掲載された前記第２の情報画面を前記端末に提供することを特徴とするギフトシステム。
【請求項３】
請求項１に記載のギフトシステムにおいて、
前記ギフト管理手段は、前記端末に提供された前記第１の情報画面上にて商品のカテゴリーが指定された場合、該カテゴリーに含まれる商品からなる前記第２の商品群が掲載された前記第２の情報画面を前記端末に提供することを特徴とするギフトシステム。
【請求項４】
請求項１に記載のギフトシステムにおいて、
前記ギフト管理手段は、同一の贈答先に提供される前記第１の情報画面にそれぞれ掲載される前記第１の商品群に含まれる商品の価格を互いに合算した価格の商品からなる前記第２の商品群が掲載された前記第２の情報画面を前記端末に提供することを特徴とするギフトシステム。
【請求項５】
贈答される商品を指定するための情報画面を通信回線に接続可能な端末に提供し、前記端末に提供された前記情報画面上における指定によって前記商品の贈答を受け付けるギフト管理サーバであって、
予め設定された第１の商品群が掲載された第１の情報画面を前記端末に提供するとともに、前記端末に提供された前記第１の情報画面上における指示によって、前記第１の商品群に含まれない商品を含んでなる第２の商品群が掲載された第２の情報画面を前記端末に提供することを特徴とするギフト管理サーバ。
【請求項６】
請求項５に記載のギフト管理サーバにおいて、
前記端末に提供された前記第１の情報画面上にて前記第１の商品群に含まれる商品の価格に対して加算額が指定された場合、前記第１の商品群に含まれる商品の価格に前記加算額が加算された価格の商品からなる前記第２の商品群が掲載された前記第２の情報画面を前記端末に提供することを特徴とするギフト管理サーバ。
【請求項７】
請求項５に記載のギフト管理サーバにおいて、
前記端末に提供された前記第１の情報画面上にて商品のカテゴリーが指定された場合、該カテゴリーに含まれる商品からなる前記第２の商品群が掲載された前記第２の情報画面を前記端末に提供することを特徴とするギフト管理サーバ。
【請求項８】
請求項５に記載のギフト管理サーバにおいて、
同一の贈答先に提供される前記第１の情報画面にそれぞれ掲載される前記第１の商品群に含まれる商品の価格を互いに合算した価格の商品からなる前記第２の商品群が掲載された前記第２の情報画面を前記端末に提供することを特徴とするギフト管理サーバ。
【発明の詳細な説明】
【０００１】
【発明の属する技術分野】
本発明は、被贈答人が指定した商品を被贈答人に贈答するギフトシステム及びギフト管理サーバに関し、特に、通信回線を介して被贈答人が指定した商品を被贈答人に贈答するギフトシステム及びギフト管理サーバに関する。
【０００２】
【従来の技術】
従来より、御中元や御歳暮等といった商品を贈答する場合、被贈答人が所望の商品を指定し、指定された商品が被贈答人に贈答されるギフトシステムが利用されている。
【０００３】
このようなギフトシステムにおいては、贈答人が贈答したい商品群を指定すると、指定された商品群が掲載されたカタログ等が被贈答人に送付される。被贈答人は、送付されてきたカタログ等に掲載された商品群の中から所望の商品を選択し、選択した商品を電話にて商品取り扱い業者に通知したり、カタログ等に添付されたはがきに選択した商品の商品番号等を記入して商品取り扱い業者に郵送したりすることにより、所望の商品を指定する。
【０００４】
その後、被贈答人からの商品の指定を受けた商品取り扱い業者において、指定された商品が被贈答人に送付される。
【０００５】
また、近年においては、インターネットやパソコンが急速に普及し、個人が時間や場所を問わずにインターネットに接続することが容易に行われるようになってきており、それに伴い、上述したようなギフトシステムにおいて被贈答人がインターネット上にて所望の商品を指定することが行われている（例えば、特許文献１、２参照。）。
【０００６】
インターネットを利用したギフトシステムにおいては、例えば、贈答人は、被贈答人に関する情報を登録するとともに、被贈答人に贈答したい商品群を指定する。この際、指定された商品群は、被贈答人を特定するためのＩＤ及びパスワードと対応づけて管理される。その後、登録された被贈答人に関する情報を用いて、被贈答人が商品を指定するための情報画面にアクセスするためのアクセス情報や被贈答人を特定するためのＩＤ及びパスワード等が記載されたカード等の印刷物が被贈答人に送付される。
【０００７】
アクセス情報やＩＤ及びパスワード等が記載された印刷物を受け取った被贈答人は、まず、パソコン等を用いて、送付されてきた印刷物に記載されたアクセス情報によって、商品を指定するための情報画面にアクセスし、さらに、その情報画面にＩＤ及びパスワードを入力することにより、被贈答人を特定する。
【０００８】
すると、情報画面に入力されたＩＤ及びパスワードに対応づけられた商品群が掲載された情報画面が被贈答人のパソコン等に表示される。被贈答人のパソコン等に表示された情報画面に掲載された商品群の中から被贈答人が所望の商品を指定すると、商品群の中からどの商品が指定されたかの情報が商品取り扱い業者に送信される。
【０００９】
その後、商品取り扱い業者において、被贈答人によって指定された商品が被贈答人に送付される。
【００１０】
このようなインターネットを利用したギフトシステムにおいては、被贈答人が選択可能な商品群が掲載されたカタログ等を被贈答人に送付する必要がなく、また、被贈答人が多数の商品の中から所望の商品を指定することができるため、今後の急速な普及が予想される。
【００１１】
【特許文献１】
特開２００１−２４３３８０号公報
【特許文献２】
特開２００２−７７５２号公報
【００１２】
【発明が解決しようとする課題】
しかしながら、上述したような従来のギフトシステムにおいては、被贈答者は、贈答者が指定した商品群の中からのみ所望の商品を選択することになるため、贈答者が指定した商品群の中に被贈答者にとって所望の商品が含まれていない場合、被贈答者は、希望しない商品を指定せざるを得ず、その場合、贈答者が選択した商品を被贈答者に贈答する場合と同じことになり、贈答者と被贈答者の両者にとって商品の贈答が形式的なものとなってしまうという問題点がある。
【００１３】
本発明は、上述したような従来の技術が有する問題点に鑑みてなされたものであって、贈答者が指定した商品群の中に被贈答者の所望の商品がない場合であっても被贈答者が所望の商品を指定することができるギフトシステム及びギフト管理サーバを提供することを目的とする。
【００１４】
【課題を解決するための手段】
上記目的を達成するために本発明は、
通信回線に接続可能な端末と、贈答される商品を指定するための情報画面を前記通信回線を介して前記端末に提供するギフト管理手段とを有し、前記ギフト管理手段から前記端末に提供された前記情報画面上にて指定された商品の贈答を受け付けるギフトシステムにおいて、
前記ギフト管理手段は、予め設定された第１の商品群が掲載された第１の情報画面を前記端末に提供するとともに、前記端末に提供された前記第１の情報画面上における指示によって、前記第１の商品群に含まれない商品を含んでなる第２の商品群が掲載された第２の情報画面を前記端末に提供することを特徴とする。
【００１５】
また、前記ギフト管理手段は、前記端末に提供された前記第１の情報画面上にて前記第１の商品群に含まれる商品の価格に対して加算額が指定された場合、前記第１の商品群に含まれる商品の価格に前記加算額が加算された価格の商品からなる前記第２の商品群が掲載された前記第２の情報画面を前記端末に提供することを特徴とする。
【００１６】
また、前記ギフト管理手段は、前記端末に提供された前記第１の情報画面上にて商品のカテゴリーが指定された場合、該カテゴリーに含まれる商品からなる前記第２の商品群が掲載された前記第２の情報画面を前記端末に提供することを特徴とする。
【００１７】
また、前記ギフト管理手段は、同一の贈答先に提供される前記第１の情報画面にそれぞれ掲載される前記第１の商品群に含まれる商品の価格を互いに合算した価格の商品からなる前記第２の商品群が掲載された前記第２の情報画面を前記端末に提供することを特徴とする。
【００１８】
また、贈答される商品を指定するための情報画面を通信回線に接続可能な端末に提供し、前記端末に提供された前記情報画面上における指定によって前記商品の贈答を受け付けるギフト管理サーバであって、
予め設定された第１の商品群が掲載された第１の情報画面を前記端末に提供するとともに、前記端末に提供された前記第１の情報画面上における指示によって、前記第１の商品群に含まれない商品を含んでなる第２の商品群が掲載された第２の情報画面を前記端末に提供することを特徴とする。
【００１９】
また、前記端末に提供された前記第１の情報画面上にて前記第１の商品群に含まれる商品の価格に対して加算額が指定された場合、前記第１の商品群に含まれる商品の価格に前記加算額が加算された価格の商品からなる前記第２の商品群が掲載された前記第２の情報画面を前記端末に提供することを特徴とする。
【００２０】
また、前記端末に提供された前記第１の情報画面上にて商品のカテゴリーが指定された場合、該カテゴリーに含まれる商品からなる前記第２の商品群が掲載された前記第２の情報画面を前記端末に提供することを特徴とする。
【００２１】
また、同一の贈答先に提供される前記第１の情報画面にそれぞれ掲載される前記第１の商品群に含まれる商品の価格を互いに合算した価格の商品からなる前記第２の商品群が掲載された前記第２の情報画面を前記端末に提供することを特徴とする。
【００２２】
（作用）
上記のように構成された本発明においては、被贈答人が贈答される商品を指定する場合、通信回線に接続可能な端末において、贈答される商品を指定するための情報画面を通信回線を介して端末に提供するギフト管理手段にアクセスする。すると、贈答される商品として贈答者が予め設定した第１の商品群が掲載された第１の情報画面がギフト管理手段から端末に提供される。ここで、被贈答人が、ギフト管理手段から端末に提供された第１の情報画面に掲載された第１の商品群に含まれていない商品を指定する場合、端末に提供された第１の情報画面上にてその指示を行うと、第１の商品群に含まれない商品を含んでなる第２の商品群が掲載された第２の情報画面がギフト管理手段から端末に提供され、被贈答人は、端末に提供された第２の情報画面に掲載された第２の商品群の中から所望の商品を指定することになる。
【００２３】
このように、贈答される商品として贈答者が予め設定した第１の商品群が掲載された第１の情報画面上における指示によって、第１の商品群に含まれない商品を含んでなる第２の商品群が掲載された第２の情報画面がギフト管理手段から端末に提供されるので、贈答者が指定した商品群の中に被贈答者の所望の商品がない場合であっても被贈答者が所望の商品を指定することができる。
【００２４】
例えば、端末に提供された第１の情報画面上にて第１の商品群に含まれる商品の価格に対して加算額が指定された場合、第１の商品群に含まれる商品の価格に加算額が加算された価格の商品からなる第２の商品群が掲載された第２の情報画面が端末に提供されれば、贈答者が指定した商品群の中に被贈答者の所望の商品がない場合であっても、被贈答人は、加算額を支払うことにより、所望の商品を指定することができる。
【００２５】
また、端末に提供された第１の情報画面上にて商品のカテゴリーが指定された場合、該カテゴリーに含まれる商品からなる第２の商品群が掲載された第２の情報画面が端末に提供されれば、贈答者が指定した商品群の中に被贈答者の所望の商品がない場合であっても、被贈答人は、所望のカテゴリーの指定することにより、所望のカテゴリーの中から所望の商品を指定することができる。
【００２６】
また、同一の贈答先に提供される第１の情報画面にそれぞれ掲載される第１の商品群に含まれる商品の価格を互いに合算した価格の商品からなる第２の商品群が掲載された第２の情報画面が端末に提供されれば、被贈答人は、贈答される商品が複数ある場合、それぞれの商品を指定するための第１の情報画面に掲載される第１の商品群に含まれる商品の価格を互いに合算した価格の商品を指定することができる。
【００２７】
【発明の実施の形態】
以下に、本発明の実施の形態について図面を参照して説明する。
【００２８】
図１は、本発明のギフトシステムの実施の一形態を示す図である。
【００２９】
本形態は図１に示すように、通信回線であるインターネット４０に接続可能なパソコン等の端末１０−１〜１０−ｎと、贈答可能な商品に関する情報からなる商品情報データベース６０−１〜６０−Ｎ及び贈答者によって指定されたギフト情報が登録されたギフト情報データベース５０を参照して贈答される商品を指定するための情報画面をインターネット４０を介して端末１０−１〜１０−ｎに提供し、端末１０−１〜１０−ｎに提供された情報画面上における指定によって商品の贈答を受け付けてギフト情報データベース５０に登録するギフト管理サーバ３０とから構成されている。なお、ギフト管理サーバ３０は、ギフト情報が登録されたギフト情報データベース５０を参照し、贈答される商品を指定するための情報画面を作成し、インターネット４０を介して端末１０−１〜１０−ｎに提供するサイト管理部３１と、サイト管理部３１からインターネット４０を介して端末１０−１〜１０−ｎに提供される情報画面を作成するためにギフト情報データベース５０からギフト情報を抽出するとともに、サイト管理部３１からインターネット４０を介して端末１０−１〜１０−ｎに提供された情報画面上における指定に応じて、商品情報データベース６０−１〜６０−Ｎに登録された商品情報を抽出するデータベース管理部３２とから構成され、サイト管理部３１は、データベース管理部３２にて商品情報データベース６０−１〜６０−Ｎから商品情報が抽出されたされた場合、該商品情報が掲載された情報画面を作成し、インターネット４０を介して端末１０−１〜１０−ｎに提供する。
【００３０】
以下に、上記のように構成されたギフトシステムにおける商品の贈答方法について説明する。
【００３１】
まず、贈答人が、商品の贈答先や贈答したい商品群等を指定する。例えば、贈答人は、ギフトシステムを運営する企業や店舗、あるいは贈答する商品を取り扱う業者や店舗に対して、店頭やＷｅｂ、あるいはＦａｘ等で、贈答先となる被贈答人に関する情報（氏名、住所、電話番号等）を登録するとともに、被贈答人に贈答したい商品群を指定する。また、この際、贈答人から被贈答人に対するメッセージを登録したり、指定した商品群の中から被贈答人に対するおすすめ商品を指定したりすること等も考えられる。
【００３２】
このように贈答人によって指定、登録された情報は、被贈答人を特定するためのＩＤ及びパスワードと対応づけてギフト情報データベース５０に登録される。
【００３３】
また、ギフト情報データベース５０に登録された被贈答人に関する情報を用いて、被贈答人が商品を指定するための情報画面にアクセスするためのアクセス情報や被贈答人を特定するためのＩＤ及びパスワード等が記載されたカード等の印刷物が被贈答人に送付される。
【００３４】
その後、アクセス情報やＩＤ及びパスワード等が記載された印刷物を受け取った被贈答人が、ギフトシステムを利用してギフト商品を申し込むことになる。
【００３５】
図２は、図１に示したギフトシステムにおけるギフト申し込みの管理方法の一例を説明するためのフローチャートである。
【００３６】
アクセス情報やＩＤ及びパスワード等が記載された印刷物を受け取った被贈答人が、受け取った印刷物に記載されたアクセス情報によって端末１０−１にてギフト申し込みサイトにアクセスすると（ステップＳ１）、ギフト申し込みサイトにログインするためのログイン画面がギフト管理サーバ３０から送信される（ステップＳ２）。
【００３７】
ギフト管理サーバ３０から送信されたログイン画面は、インターネット４０を介して端末１０−１にて受信され、表示される（ステップＳ３）。
【００３８】
図３は、図１に示したギフトシステムにてギフト申し込みサイトにログインするためのログイン画面を示す図である。
【００３９】
図３に示すように、ギフト管理サーバ３０から送信され、端末１０−１にて受信、表示されたログイン画面には、ギフト申し込みサイトにログインするためのＩＤを入力するための領域１と、パスワードを入力するための領域２とが設けられており、被贈答人は、受け取った印刷物に記載されたＩＤを領域１に入力するとともに、受け取った印刷物に記載されたパスワードを領域２に入力することになる。
【００４０】
図３に示したようなログイン画面の領域１，２にＩＤ及びパスワードがそれぞれ入力、送信され（ステップＳ４）、これらＩＤ及びパスワードがギフト管理サーバ３０にて受信されると（ステップＳ５）、ギフト管理サーバ３０のデータベース管理部３２において、受信されたＩＤ及びパスワードがギフト情報データベース５０に登録されているかどうかが確認され（ステップＳ６）、受信されたＩＤ及びパスワードがギフト情報データベース５０に登録されていない場合は、ログイン画面に入力されたＩＤ及びパスワードが登録されていない旨が通知され（ステップＳ７）、端末１０−１にその旨が表示される（ステップＳ８）。
【００４１】
また、ギフト管理サーバ３０にて受信されたＩＤ及びパスワードがギフト情報データベース５０に登録されている場合は、データベース管理部３２において、ＩＤ及びパスワードに対応づけて登録された情報がギフト情報データベース５０から抽出され、サイト管理部３１において、データベース管理部３２にてギフト情報データベース５０から抽出された情報を用いて第１の情報画面である申し込み画面が作成され、送信される（ステップＳ９）。ここで、上述したように、ギフト情報データベース５０には、贈答先となる被贈答人に関する情報（氏名、住所、電話番号等）や、被贈答人に贈答される商品群や、贈答人から被贈答人に対するメッセージや、被贈答人に対するおすすめ商品等が、被贈答人のＩＤ及びパスワードと対応づけて登録されており、データベース管理部３２においては、ギフト情報データベース５０からこれらの情報が抽出され、サイト管理部３１において、被贈答人の氏名や、被贈答人に贈答される第１の商品群や、贈答人から被贈答人に対するメッセージや、被贈答人に対するおすすめ商品等が掲載された申し込み画面が作成される。
【００４２】
ギフト管理サーバ３０から送信された申し込み画面は、インターネット４０を介して端末１０−１にて受信され、表示される（ステップＳ１０）。
【００４３】
図４は、図１に示したギフトシステムにてギフト管理サーバ３０から送信され、端末１０−１にて受信、表示される申し込み画面を示す図である。
【００４４】
図４に示すように、ギフト管理サーバ３０から送信され、端末１０−１にて受信、表示される申し込み画面においては、贈答人から被贈答人に対するメッセージ３が掲載されているとともに、贈答人が指定した商品の中から被贈答人が所望の商品を指定するための商品指定エリア４が設けられている。また、この商品指定エリア４には、被贈答人の対するおすすめ商品情報５が掲載されている。さらに、商品指定エリア４においては、贈答人が指定した第１の商品群が掲載されていることになるが、図４に示すように、おすすめ商品以外の他の商品をカテゴリー別に選択可能とすることが好ましく、その場合、所望の商品のカテゴリーを指定すると、指定されたカテゴリーの商品の一覧が、おすすめ商品情報５と同じような形態で掲載されることになる。
【００４５】
被贈答人が、申し込み画面に掲載された商品の中からギフト商品を選択するために（ステップＳ１１）、所望の商品に付与された詳細ボタンを押下すると（ステップＳ１２）、データベース管理部３２において、商品情報データベース６０−１〜６０−Ｎの中から、詳細ボタンによって指定された商品に関する情報が検索される（ステップＳ１３）。ここで、データベース管理部３２においては、申し込み画面に掲載される商品に関する情報が商品情報データベース６０−１〜６０−Ｎのうちどの商品情報データベースに登録されているかが管理されている。
【００４６】
次に、サイト管理部３１において、データベース管理部３２にて商品情報データベース６０−１〜６０−Ｎの中から検索された商品情報が掲載された商品情報掲載画面が作成され、送信される（ステップＳ１４）。
【００４７】
サイト管理部３１から送信された商品情報掲載画面は、インターネット４０を介して端末１０−１にて受信され、表示される（ステップＳ１５）。
【００４８】
図５は、図１に示したギフトシステムにてサイト管理部３１から送信され、端末１０−１にて受信、表示される商品情報掲載画面を示す図である。
【００４９】
図５に示すように、サイト管理部３１から送信され、端末１０−１にて受信、表示される商品情報掲載画面においては、ステップＳ１２にて詳細ボタンを押下することにより指定された商品に関する商品情報６が掲載されている。
【００５０】
被贈答人が、端末１０−１に表示された商品情報掲載画面に掲載された商品をギフト商品として指定する場合（ステップＳ１６）、商品情報掲載画面に設けられた決定ボタン７ａを押下すると（ステップＳ１７）、サイト管理部３１において、指定された商品の配送情報を入力するための配送情報入力画面が作成され、送信される（ステップＳ１８）。ここで、データベース管理部３２においては、ステップＳ９において、被贈答人に関する情報がギフト情報データベース５０から検索されているため、サイト管理部３１においては、被贈答人に関する情報を含んで配送情報入力画面が作成される。
【００５１】
サイト管理部３１から送信された配送情報入力画面は、インターネット４０を介して端末１０−１にて受信され、表示される（ステップＳ１９）。
【００５２】
図６は、図１に示したギフトシステムにてサイト管理部３１から送信され、端末１０−１にて受信、表示される配送情報入力画面を示す図である。
【００５３】
図６に示すように、サイト管理部３１から送信され、端末１０−１にて受信、表示された配送情報入力画面においては、被贈答人の住所情報８ａ及び電話番号情報８ｂが掲載されているとともに、配送日や配送時間を指定するための領域９ａ，９ｂが設けられている。
【００５４】
被贈答人が、端末１０−１に表示された配送情報入力画面に掲載された住所情報８ａ及び電話番号情報８ｂを確認するとともに、配送日や配送時間を領域９ａ，９ｂにそれぞれ入力し、送信すると（ステップＳ２０）、ギフト管理サーバ３０において、ステップＳ１７にて指定された商品について、ステップＳ２０にて指定された配送情報による配送が受け付けられる（ステップＳ２１）。なお、配送情報入力画面に掲載された住所情報８ａや電話番号情報８ｂを変更する場合は、変更画面を指定し、住所情報８ａや電話番号情報８ｂを変更することになる。
【００５５】
その後、ギフト管理サーバ３０における受け付け情報がギフト情報データベース５０に登録され、さらに、ギフト情報データベース５０に登録された受け付け情報が、被贈答人によって指定された商品を取り扱う業者や店舗に通知され、これら業者や店舗から、指定された商品が被贈答人に配送される。
【００５６】
一方、被贈答人が、端末１０−１に表示された商品情報掲載画面に掲載された商品ではない他の商品を閲覧する場合は、商品情報掲載画面に設けられた、他の商品を見るためのボタン７ｂを押下すると（ステップＳ２２）、図４に示したような申し込み画面が端末１０−１に再度表示されることになる。
【００５７】
また、本形態においては、被贈答人が、申し込み画面に掲載されていない商品、すなわち、贈答人が被贈答人に対して設定しておらず、ギフト情報データベース５０に登録されていない商品の中からギフト商品を指定することもできる。
【００５８】
ステップＳ１１において、被贈答人が、申し込み画面に掲載されていない商品、すなわち、贈答人が被贈答人に対して設定しておらず、ギフト情報データベース５０に登録されていない商品の中からギフト商品を指定する場合であって、申し込み画面に掲載された商品の価格に対して加算額を指定する場合は（ステップＳ２３）、申し込み画面に加算額を入力し、送信すると（ステップＳ２４）、データベース管理部３２において、指定された加算額によって算出された価格を有する商品が商品情報データベース６０−１〜６０−Ｎから検索され（ステップＳ２５）、サイト管理部３１において、データベース管理部３２にて商品情報データベース６０−１〜６０−Ｎから検索された第２の商品群を構成する商品の一覧が掲載された第２の情報画面である商品一覧画面が作成され、送信される（ステップＳ２６）。
【００５９】
サイト管理部３１から送信された商品一覧画面が端末１０−１にて受信、表示された後（ステップＳ２７）、被贈答人が商品一覧画面に掲載された商品の中から所望の商品を選択し、その商品に関する情報を閲覧するための詳細ボタンを押下すると（ステップＳ２８）、データベース管理部３２において、商品情報データベース６０−１〜６０−Ｎの中から、詳細ボタンによって指定された商品に関する情報が検索される（ステップＳ２９）。
【００６０】
次に、サイト管理部３１において、データベース管理部３２にて商品情報データベース６０−１〜６０−Ｎの中から検索された商品情報が掲載された商品情報掲載画面が作成され、送信される（ステップＳ３０）。
【００６１】
サイト管理部３１から送信された商品情報掲載画面は、インターネット４０を介して端末１０−１にて受信され、表示される（ステップＳ３１）。
【００６２】
被贈答人が、端末１０−１に表示された商品情報掲載画面に掲載された商品をギフト商品として指定する場合（ステップＳ３２）、商品情報掲載画面に設けられた決定ボタンを押下すると（ステップＳ３３）、ステップＳ１８における処理に移り、サイト管理部３１において、指定された商品の配送情報を入力するための配送情報入力画面が作成され、送信される。
【００６３】
また、被贈答人が、端末１０−１に表示された商品情報掲載画面に掲載された商品ではない他の商品を閲覧する場合は、商品情報掲載画面に設けられた、他の商品を見るためのボタンを押下すると（ステップＳ３４）、ステップＳ２７にて端末１０−１に表示された商品一覧画面が端末１０−１に再度表示されることになる。
【００６４】
なお、上述したように贈答される商品の金額を加算した場合、加算額の決済が別途行われることになる。
【００６５】
また、ステップＳ１１において、被贈答人が、申し込み画面に掲載されていない商品、すなわち、贈答人が被贈答人に対して設定しておらず、ギフト情報データベース５０に登録されていない全ての商品の中からギフト商品を選択する場合は、申し込み画面に設けられた全検索ボタンを押下すると（ステップＳ３５）、データベース管理部３２において、商品情報データベース６０−１〜６０−Ｎに登録された商品が検索され（ステップＳ３６）、サイト管理部３１において、データベース管理部３２にて商品情報データベース６０−１〜６０−Ｎから検索された第２の商品群を構成する商品の一覧が掲載された第２の情報画面である商品一覧画面が作成され、送信される（ステップＳ３７）。なお、ステップＳ３５における全検索の指定においては、商品のカテゴリーを指定することによって行うことが考えられる。その際、ステップＳ３６，Ｓ３７における処理は、ステップＳ３５にて指定されたカテゴリーの商品について行われることになる。また、被贈答人が商品のカテゴリーを指定せず、贈答人が指定したおすすめ商品のカテゴリーについて、商品の検索を行うことも考えられる。
【００６６】
サイト管理部３１から送信された商品一覧画面が端末１０−１にて受信、表示された後（ステップＳ３８）、被贈答人が商品一覧画面に掲載された商品の中から所望の商品を選択し、その商品に関する情報を閲覧するための詳細ボタンを押下すると（ステップＳ３９）、データベース管理部３２において、商品情報データベース６０−１〜６０−Ｎの中から、詳細ボタンによって指定された商品に関する情報が検索される（ステップＳ４０）。
【００６７】
次に、サイト管理部３１において、データベース管理部３２にて商品情報データベース６０−１〜６０−Ｎの中から検索された商品情報が掲載された商品情報掲載画面が作成され、送信される（ステップＳ４１）。
【００６８】
サイト管理部３１から送信された商品情報掲載画面は、インターネット４０を介して端末１０−１にて受信され、表示される（ステップＳ４２）。
【００６９】
被贈答人が、端末１０−１に表示された商品情報掲載画面に掲載された商品をギフト商品として指定する場合（ステップＳ４３）、商品情報掲載画面に設けられた決定ボタンを押下すると（ステップＳ４４）、ステップＳ１８における処理に移り、サイト管理部３１において、指定された商品の配送情報を入力するための配送情報入力画面が作成され、送信される。
【００７０】
また、被贈答人が、端末１０−１に表示された商品情報掲載画面に掲載された商品ではない他の商品を閲覧する場合は、商品情報掲載画面に設けられた、他の商品を見るためのボタンを押下すると（ステップＳ４５）、ステップＳ３８にて端末１０−１に表示された商品一覧画面が端末１０−１に再度表示されることになる。
【００７１】
図７は、図１に示したギフトシステムにおけるギフト申し込みの管理方法の他の例を説明するためのフローチャートである。
【００７２】
アクセス情報やＩＤ及びパスワード等が記載された印刷物を受け取った被贈答人が、受け取った印刷物に記載されたアクセス情報によって端末１０−１にてギフト申し込みサイトにアクセスすると（ステップＳ１０１）、図３に示したような、ギフト申し込みサイトにログインするためのログイン画面がギフト管理サーバ３０から送信される（ステップＳ１０２）。
【００７３】
ギフト管理サーバ３０から送信されたログイン画面は、インターネット４０を介して端末１０−１にて受信され、表示される（ステップＳ１０３）。
【００７４】
図３に示したようなログイン画面の領域１，２にＩＤ及びパスワードがそれぞれ入力、送信され（ステップＳ１０４）、これらＩＤ及びパスワードがギフト管理サーバ３０にて受信されると（ステップＳ１０５）、ギフト管理サーバ３０のデータベース管理部３２において、受信されたＩＤ及びパスワードがギフト情報データベース５０に登録されているかどうかが確認され（ステップＳ１０６）、受信されたＩＤ及びパスワードがギフト情報データベース５０に登録されていない場合は、ログイン画面に入力されたＩＤ及びパスワードが登録されていない旨が通知され（ステップＳ１０７）、端末１０−１にその旨が表示される（ステップＳ１０８）。
【００７５】
また、ギフト管理サーバ３０にて受信されたＩＤ及びパスワードがギフト情報データベース５０に登録されている場合は、データベース管理部３２において、ＩＤ及びパスワードに対応づけて登録された情報がギフト情報データベース５０から抽出され、サイト管理部３１において、データベース管理部３２にてギフト情報データベース５０から抽出された情報を用いて、図４に示したような第１の情報画面である申し込み画面が作成され、送信される（ステップＳ１０９）。ここで、上述したように、ギフト情報データベース５０には、贈答先となる被贈答人に関する情報（氏名、住所、電話番号等）や、被贈答人に贈答される商品群や、贈答人から被贈答人に対するメッセージや、被贈答人に対するおすすめ商品等が、被贈答人のＩＤ及びパスワードと対応づけて登録されており、データベース管理部３２においては、ギフト情報データベース５０からこれらの情報が抽出され、サイト管理部３１において、被贈答人の氏名や、被贈答人に贈答される第１の商品群や、贈答人から被贈答人に対するメッセージや、被贈答人に対するおすすめ商品等が掲載された申し込み画面が作成される。
【００７６】
ギフト管理サーバ３０から送信された申し込み画面は、インターネット４０を介して端末１０−１にて受信され、表示される（ステップＳ１１０）。
【００７７】
被贈答人が、申し込み画面に掲載された商品の中からギフト商品を選択するために（ステップＳ１１１）、所望の商品に付与された詳細ボタンを押下すると（ステップＳ１１２）、データベース管理部３２において、商品情報データベース６０−１〜６０−Ｎの中から、詳細ボタンによって指定された商品に関する情報が検索される（ステップＳ１１３）。ここで、データベース管理部３２においては、申し込み画面に掲載される商品に関する情報が商品情報データベース６０−１〜６０−Ｎのうちどの商品情報データベースに登録されているかが管理されている。
【００７８】
次に、サイト管理部３１において、図５に示したような、データベース管理部３２にて商品情報データベース６０−１〜６０−Ｎの中から検索された商品情報が掲載された商品情報掲載画面が作成され、送信される（ステップＳ１１４）。
【００７９】
サイト管理部３１から送信された商品情報掲載画面は、インターネット４０を介して端末１０−１にて受信され、表示される（ステップＳ１１５）。
【００８０】
被贈答人が、端末１０−１に表示された商品情報掲載画面に掲載された商品をギフト商品として指定する場合（ステップＳ１１６）、商品情報掲載画面に設けられた決定ボタン７ａを押下すると（ステップＳ１１７）、サイト管理部３１において、図６に示したような、指定された商品の配送情報を入力するための配送情報入力画面が作成され、送信される（ステップＳ１１８）。ここで、データベース管理部３２においては、ステップＳ１０９において、被贈答人に関する情報がギフト情報データベース５０から検索されているため、サイト管理部３１においては、被贈答人に関する情報を含んで配送情報入力画面が作成される。
【００８１】
サイト管理部３１から送信された配送情報入力画面は、インターネット４０を介して端末１０−１にて受信され、表示される（ステップＳ１１９）。
【００８２】
被贈答人が、端末１０−１に表示された配送情報入力画面に掲載された住所情報８ａ及び電話番号情報８ｂを確認するとともに、配送日や配送時間を領域９ａ，９ｂにそれぞれ入力し、送信すると（ステップＳ１２０）、ギフト管理サーバ３０において、ステップＳ１１７にて指定された商品について、ステップＳ１２０にて指定された配送情報による配送が受け付けられる（ステップＳ１２１）。なお、配送情報入力画面に掲載された住所情報８ａや電話番号情報８ｂを変更する場合は、変更画面を指定し、住所情報８ａや電話番号情報８ｂを変更することになる。
【００８３】
その後、ギフト管理サーバ３０における受け付け情報がギフト情報データベース５０に登録され、さらに、ギフト情報データベース５０に登録された受け付け情報が、被贈答人によって指定された商品を取り扱う業者や店舗に通知され、これら業者や店舗から、指定された商品が被贈答人に配送される。
【００８４】
一方、被贈答人が、端末１０−１に表示された商品情報掲載画面に掲載された商品ではない他の商品を閲覧する場合は、商品情報掲載画面に設けられた、他の商品を見るためのボタン７ｂを押下すると（ステップＳ１２２）、図４に示したような申し込み画面が端末１０−１に再度表示されることになる。
【００８５】
また、本形態においては、被贈答人が、被贈答人に与えられた他のＩＤ及びパスワードと合わせてギフト商品を指定することもできる。
【００８６】
ステップＳ１１１において、被贈答人が、申し込み画面に掲載されていない商品、すなわち、贈答人が被贈答人に対して設定していない商品の中からギフト商品を指定する場合であって、被贈答人に与えられた他のＩＤ及びパスワードと合わせてギフト商品を指定する場合は、申し込み画面に、贈答人に与えられた他のＩＤ及びパスワードを入力し、送信すると（ステップＳ１２３）、送信されたＩＤ及びパスワードがギフト管理サーバ３０にて受信され（ステップＳ１２４）、データベース管理部３２において、受信されたＩＤ及びパスワードとステップＳ１０５にて受信されたＩＤ及びパスワードとが同一被贈答人に与えられたものであるかどうかが確認される（ステップＳ１２５）。このＩＤ及びパスワードの照合は、ギフト情報データベース５０が参照され、ステップＳ１２４にて受信されたＩＤ及びパスワードに対応づけてギフト情報データベース５０に登録された被贈答人に関する情報と、ステップＳ１０５にて受信されたＩＤ及びパスワードに対応づけてギフト情報データベース５０に登録された被贈答人に関する情報とが同一であるかどうかによって行われる。
【００８７】
ステップＳ１２５にて受信されたＩＤ及びパスワードとステップＳ１０５にて受信されたＩＤ及びパスワードとが同一被贈答人に与えられたものではない場合は、ステップＳ１２３にて入力されたＩＤ及びパスワードが正しくない旨が通知され（ステップＳ１２６）、その旨が端末１０−１に表示される（ステップＳ１２７）。
【００８８】
一方、ステップＳ１２５にて受信されたＩＤ及びパスワードとステップＳ１０５にて受信されたＩＤ及びパスワードとが同一被贈答人に与えられたものである場合は、ステップＳ１２５にて受信されたＩＤ及びパスワードによって指定可能な商品の価格とステップＳ１０５にて受信されたＩＤ及びパスワードによって指定可能な商品の価格とが加算される（ステップＳ１２８）。
【００８９】
次に、データベース管理部３２において、加算された額によって算出された価格を有する商品が商品情報データベース６０−１〜６０−Ｎから検索され（ステップＳ１２９）、サイト管理部３１において、データベース管理部３２にて商品情報データベース６０−１〜６０−Ｎから検索された第２の商品群を構成する商品の一覧が掲載された第２の情報画面である商品一覧画面が作成され、送信される（ステップＳ１３０）。また、ＩＤ及びパスワードによって特定される被贈答人に対しておすすめ商品としてギフト情報データベース５０に登録されたカテゴリーの商品が商品情報データベース６０−１〜６０−Ｎから検索され、サイト管理部３１において、データベース管理部３２にて商品情報データベース６０−１〜６０−Ｎから検索された商品の一覧が掲載された商品一覧画面が作成されることも考えられる。
【００９０】
サイト管理部３１から送信された商品一覧画面が端末１０−１にて受信、表示された後（ステップＳ１３１）、被贈答人が商品一覧画面に掲載された商品の中から所望の商品を選択し、その商品に関する情報を閲覧するための詳細ボタンを押下すると（ステップＳ１３２）、データベース管理部３２において、商品情報データベース６０−１〜６０−Ｎの中から、詳細ボタンによって指定された商品に関する情報が検索される（ステップＳ１３３）。
【００９１】
次に、サイト管理部３１において、データベース管理部３２にて商品情報データベース６０−１〜６０−Ｎの中から検索された商品情報が掲載された商品情報掲載画面が作成され、送信される（ステップＳ１３４）。
【００９２】
サイト管理部３１から送信された商品情報掲載画面は、インターネット４０を介して端末１０−１にて受信され、表示される（ステップＳ１３５）。
【００９３】
被贈答人が、端末１０−１に表示された商品情報掲載画面に掲載された商品をギフト商品として指定する場合（ステップＳ１３６）、商品情報掲載画面に設けられた決定ボタンを押下すると（ステップＳ１３７）、ステップＳ１１８における処理に移り、サイト管理部３１において、指定された商品の配送情報を入力するための配送情報入力画面が作成され、送信される。
【００９４】
また、被贈答人が、端末１０−１に表示された商品情報掲載画面に掲載された商品ではない他の商品を閲覧する場合は、商品情報掲載画面に設けられた、他の商品を見るためのボタンを押下すると（ステップＳ１３８）、ステップＳ１３１にて端末１０−１に表示された商品一覧画面が端末１０−１に再度表示されることになる。
【００９５】
【発明の効果】
以上説明したように本発明においては、通信回線に接続可能な端末と、贈答される商品を指定するための情報画面を通信回線を介して端末に提供するギフト管理手段とを有し、ギフト管理手段から端末に提供された情報画面上にて指定された商品の贈答を受け付けるギフトシステムにおいて、ギフト管理手段にて、予め設定された第１の商品群が掲載された第１の情報画面を端末に提供するとともに、端末に提供された第１の情報画面上における指示によって、第１の商品群に含まれない商品を含んでなる第２の商品群が掲載された第２の情報画面を端末に提供する構成としたため、贈答される商品として贈答者が予め設定した第１の商品群が掲載された第１の情報画面上における指示によって、第１の商品群に含まれない商品を含んでなる第２の商品群が掲載された第２の情報画面がギフト管理手段から端末に提供されることになり、贈答者が指定した商品群の中に被贈答者の所望の商品がない場合であっても被贈答者が所望の商品を指定することができる。
【００９６】
また、端末に提供された第１の情報画面上にて第１の商品群に含まれる商品の価格に対して加算額が指定された場合、第１の商品群に含まれる商品の価格に加算額が加算された価格の商品からなる第２の商品群が掲載された第２の情報画面を端末に提供する構成としたものにおいては、贈答者が指定した商品群の中に被贈答者の所望の商品がない場合であっても、被贈答人は、加算額を支払うことにより、所望の商品を指定することができる。
【００９７】
また、端末に提供された第１の情報画面上にて商品のカテゴリーが指定された場合、該カテゴリーに含まれる商品からなる第２の商品群が掲載された第２の情報画面を端末に提供する構成としたものにおいては、贈答者が指定した商品群の中に被贈答者の所望の商品がない場合であっても、被贈答人は、所望のカテゴリーの指定することにより、所望のカテゴリーの中から所望の商品を指定することができる。
【００９８】
また、同一の贈答先に提供される第１の情報画面にそれぞれ掲載される第１の商品群に含まれる商品の価格を互いに合算した価格の商品からなる第２の商品群が掲載された第２の情報画面を端末に提供する構成としたものにおいては、被贈答人は、贈答される商品が複数ある場合、それぞれの商品を指定するための第１の情報画面に掲載される第１の商品群に含まれる商品の価格を互いに合算した価格の商品を指定することができる。
【図面の簡単な説明】
【図１】本発明のギフトシステムの実施の一形態を示す図である。
【図２】図１に示したギフトシステムにおけるギフト申し込みの管理方法の一例を説明するためのフローチャートである。
【図３】図１に示したギフトシステムにてギフト申し込みサイトにログインするためのログイン画面を示す図である。
【図４】図１に示したギフトシステムにてギフト管理サーバから送信され、端末にて受信、表示される申し込み画面を示す図である。
【図５】図１に示したギフトシステムにてサイト管理部から送信され、端末にて受信、表示される商品情報掲載画面を示す図である。
【図６】図１に示したギフトシステムにてサイト管理部から送信され、端末にて受信、表示される配送情報入力画面を示す図である。
【図７】図１に示したギフトシステムにおけるギフト申し込みの管理方法の他の例を説明するためのフローチャートである。
【符号の説明】
１０−１〜１０−ｎ    端末
３０    ギフト管理サーバ
３１    サイト管理部
３２    データベース管理部
４０    インターネット
５０    ギフト情報データベース
６０−１〜６０−Ｎ    商品情報データベース
【図１】
2004265033.tif 000003
【図２】
2004265033.tif 000004
【図３】
2004265033.tif 000005
【図４】
2004265033.tif 000006
【図５】
2004265033.tif 000007
【図６】
2004265033.tif 000008
【図７】
2004265033.tif 000009